(57)【要約】【課題】外観上の見栄えを良好にしつつ、使い勝手のよいロールペーパーホルダを提供する。【解決手段】前後方向に離間し、かつ相対向する前壁部１１および後壁部と、前壁部１１および後壁部にそれぞれつながり、左右方向に離間する一対の側壁部１３，１３と、を有し、前壁部１１、後壁部、および一対の側壁部１３，１３を含んで構成された筒状体１と、ロールペーパー５を回転可能に支持するための軸部２と、一対の側壁部１３，１３の内側において左右方向に離間して設けられ、前壁部１１および後壁部と協働してロールペーパー収容空間Ｓを規定するとともに、軸部２の両端部を支持するための一対の軸支持壁部１４，１４と、ロールペーパー収容空間Ｓの上方開口を覆う蓋部３と、を備え、前壁部１１の下端には、左右方向に延びており、軸部２に支持されたロールペーパー５を切断するための切断部１１１が設けられている。【選択図】図７
2014108154.tif 000002
【特許請求の範囲】
【請求項１】
前後方向に離間し、かつ相対向する前壁部および後壁部と、これら前壁部および後壁部にそれぞれつながり、左右方向に離間する一対の側壁部と、を有し、上記前壁部、後壁部、および一対の側壁部を含んで構成された筒状体と、
ロールペーパーを回転可能に支持するための軸部と、
一対の上記側壁部の内側において左右方向に離間して設けられ、上記前壁部および後壁部と協働してロールペーパー収容空間を規定するとともに、上記軸部の両端部を支持するための一対の軸支持壁部と、
上記ロールペーパー収容空間の上方開口を覆う蓋部と、を備え、
上記前壁部の下端には、左右方向に延びており、上記軸部に支持されたロールペーパーを切断するための切断部が設けられていることを特徴とする、ロールペーパーホルダ。
【請求項２】
上記各軸支持壁部から上記各側壁部に向かって延びる板状部を備える、請求項１に記載のロールペーパーホルダ。
【請求項３】
上記各軸支持壁部は、前後方向の中間における上端から下方に向かって延びる切欠きを有し、
上記軸部は、左右の上記切欠きに挿通された状態で一対の上記軸支持壁部に支持されている、請求項１または２に記載のロールペーパーホルダ。
【請求項４】
上記軸部は、長手方向の両端が一対の上記側壁部付近まで延びている、請求項３に記載のロールペーパーホルダ。
【請求項５】
上記蓋部には、取付け対象物に引っ掛けて上記筒状体を吊り下げるための掛止手段が設けられている、請求項１ないし４のいずれかに記載のロールペーパーホルダ。
【請求項６】
上記後壁部には、各々が後方に突出させられ、左右に離間して対をなすフック片が設けられている、請求項５に記載のロールペーパーホルダ。
【請求項７】
上記筒状体は、上記前壁部の外側面を構成する前壁外面部、上記後壁部の外側面を構成する後壁外面部、および一対の上記側壁部を構成する外筒部材と、当該外筒部材の内側に設けられ、上記前壁外面部の内側に重合されて上記前壁部の内側面を構成する前壁内面部、上記後壁外面部の内側に重合されて上記後壁部の内側面を構成する後壁内面部、および一対の上記軸支持壁部を構成する内筒部材と、を備えている、請求項１ないし６のいずれかに記載のロールペーパーホルダ。
【請求項８】
上記切断部は、上記前壁内面部の下端に設けられ、上記前壁外面部の下端よりも下方に突出する、請求項７に記載のロールペーパーホルダ。
【請求項９】
上記外筒部材、上記内筒部材、および上記軸部は、所定形状に裁断した厚紙を折り曲げて形成されている、請求項７に記載のロールペーパーホルダ。
【請求項１０】
前後方向に離間し、かつ相対向する前壁部および後壁部と、これら前壁部および後壁部にそれぞれつながり、左右方向に離間する一対の側壁部と、を有し、上記前壁部、後壁部、および一対の側壁部を含んで構成された筒状体と、
ロールペーパーを回転可能に支持するための軸部と、
上記筒状体の内側において左右方向に離間して設けられ、上記前壁部および後壁部と協働してロールペーパー収容空間を規定するとともに、上記軸部の両端部を支持するための一対の軸支持壁部と、
上記ロールペーパー収容空間の上方開口を覆う蓋部と、を備え、
上記前壁部の下端には、左右方向に延びており、上記軸部に支持されたロールペーパーを切断するための切断部が設けられている、ロールペーパーホルダの組立セットであって、
上記筒状体は、外筒部材と、当該外筒部材の内側に設けられる内筒部材とを備えて構成されており、
上記外筒部材は、上記後壁部の外側面を構成する後壁外面部と、上記後壁外面部の左右両端にそれぞれつながる一対の上記側壁部と、左右両端に一対の上記側壁部がつながり、上記前壁部の外側面を構成する前壁外面部と、を備え、上記後壁外面部、一対の上記側壁部、および上記前壁外面部が互いの境界において折り曲げ可能であり、かつ偏平状に折り畳まれており、
上記内筒部材は、上記後壁外面部の内側に重合されて上記後壁部の内側面を構成する後壁内面部と、上記後壁内面部の左右両端にそれぞれつながる一対の上記軸支持壁部と、左右両端に上記一対の上記軸支持壁部がつながり、上記前壁部の内側面を構成する前壁内面部と、上記前壁内面部および上記後壁内面部の上端につながり、上記蓋部の上側面および下側面を構成する蓋上面部および蓋下面部と、を備え、上記後壁内面部、一対の上記軸支持壁部、上記前壁内面部、上記蓋上面部、および上記蓋下面部が互いの境界において折り曲げ可能であり、かつ偏平状に折り畳まれていることを特徴とする、ロールペーパーホルダの組立セット。
【発明の詳細な説明】
【技術分野】
【０００１】
本発明は、たとえばトイレットペーパーなどのロールペーパーを、そのペーパーを引き出し可能に収容するロールペーパーホルダに関する。
【背景技術】
【０００２】
従来、たとえばトイレットペーパーなどのロールペーパーを室内に配置して、汚れの拭き取りといった清掃目的に使用されることがある。ロールペーパーを室内に配置する場合、当該ロールペーパーが外部から見えないように収容するためのロールペーパーホルダが提案されている（たとえば、特許文献１を参照）。特許文献１に記載されたロールペーパーホルダは、同文献の図１ないし図３に表れているように、一枚の薄板を裁断して組み立てた箱状とされており、正面板の上辺と蓋板の下面とによってペーパーの取出し口が形成されている。蓋板には、取出し口の幅方向に延びる切歯が設けられており、当該切歯は、取出し口の上部から斜め下方に向けられている。また、正面板、側面板や蓋板には、ペーパーの引き出しを容易にするための窓や透孔が設けられている。このような構成のロールペーパーホルダによれば、取出し口を通じてペーパー先端を引き出し、当該引き出したペーパーを切歯に沿って切断することができる。
【０００３】
しかしながら、上記従来のロールペーパーホルダにおいては、取出し口がロールペーパーホルダの上端付近に設けられているので、切歯による切断後に取出し口からペーパーが外側に垂れ下がり、見栄えが悪いものとなっていた。また、取出し口が上端付近に設けられた構成では、ホルダ内部に収容されたロールペーパーは、一旦引き上げられて取出し口からホルダ外部に引き出されているので、当該引き出されたペーパーが取出し口から外れてホルダ内部に引き戻されるおそれがある。さらに、正面板、側面板や蓋板に窓や透孔を設けた構成では、外観上の見栄えが悪くなる。
【先行技術文献】
【特許文献】
【０００４】
【特許文献１】特開平８−２３０８７１号公報
【発明の概要】
【発明が解決しようとする課題】
【０００５】
本発明は、このような事情のもとで考え出されたものであって、上記した不都合を解消し、外観上の見栄えを良好にしつつ、使い勝手のよいロールペーパーホルダ、およびこれの組立セットを提供することを課題とする。
【課題を解決するための手段】
【０００６】
上記の課題を解決するため、本発明では、次の技術的手段を講じている。
【０００７】
本発明の第１の側面によって提供されるロールペーパーホルダは、前後方向に離間し、かつ相対向する前壁部および後壁部と、これら前壁部および後壁部にそれぞれつながり、左右方向に離間する一対の側壁部と、を有し、上記前壁部、後壁部、および一対の側壁部を含んで構成された筒状体と、ロールペーパーを回転可能に支持するための軸部と、一対の上記側壁部の内側において左右方向に離間して設けられ、上記前壁部および後壁部と協働してロールペーパー収容空間を規定するとともに、上記軸部の両端部を支持するための一対の軸支持壁部と、上記ロールペーパー収容空間の上方開口を覆う蓋部と、を備え、上記前壁部の下端には、左右方向に延びており、上記軸部に支持されたロールペーパーを切断するための切断部が設けられていることを特徴としている。
【０００８】
本発明の好ましい実施の形態においては、上記各軸支持壁部から上記各側壁部に向かって延びる板状部を備える上記各軸支持壁部から上記各側壁部に向かって延びる板状部を備える。
【０００９】
本発明の好ましい実施の形態においては、上記各軸支持壁部は、前後方向の中間における上端から下方に向かって延びる切欠きを有し、上記軸部は、左右の上記切欠きに挿通された状態で一対の上記軸支持壁部に支持されている。
【００１０】
本発明の好ましい実施の形態においては、上記軸部は、長手方向の両端が一対の上記側壁部付近まで延びている。
【００１１】
本発明の好ましい実施の形態においては、上記蓋部には、取付け対象物に引っ掛けて上記筒状体を吊り下げるための掛止手段が設けられている。
【００１２】
本発明の好ましい実施の形態においては、上記後壁部には、各々が後方に突出させられ、左右に離間して対をなすフック片が設けられている。
【００１３】
本発明の好ましい実施の形態においては、上記筒状体は、上記前壁部の外側面を構成する前壁外面部、上記後壁部の外側面を構成する後壁外面部、および一対の上記側壁部を構成する外筒部材と、当該外筒部材の内側に設けられ、上記前壁外面部の内側に重合されて上記前壁部の内側面を構成する前壁内面部、上記後壁外面部の内側に重合されて上記後壁部の内側面を構成する後壁内面部、および一対の上記軸支持壁部を構成する内筒部材と、を備えている。
【００１４】
本発明の好ましい実施の形態においては、上記切断部は、上記前壁内面部の下端に設けられ、上記前壁外面部の下端よりも下方に突出する。
【００１５】
本発明の好ましい実施の形態においては、上記外筒部材、上記内筒部材、および上記軸部は、所定形状に裁断した厚紙を折り曲げて形成されている。
【００１６】
本発明の第２の側面によって提供されるロールペーパーホルダの組立セットは、前後方向に離間し、かつ相対向する前壁部および後壁部と、これら前壁部および後壁部にそれぞれつながり、左右方向に離間する一対の側壁部と、を有し、上記前壁部、後壁部、および一対の側壁部を含んで構成された筒状体と、ロールペーパーを回転可能に支持するための軸部と、上記筒状体の内側において左右方向に離間して設けられ、上記前壁部および後壁部と協働してロールペーパー収容空間を規定するとともに、上記軸部の両端部を支持するための一対の軸支持壁部と、上記ロールペーパー収容空間の上方開口を覆う蓋部と、を備え、上記前壁部の下端には、左右方向に延びており、上記軸部に支持されたロールペーパーを切断するための切断部が設けられている、ロールペーパーホルダの組立セットであって、  上記筒状体は、外筒部材と、当該外筒部材の内側に設けられる内筒部材とを備えて構成されており、上記外筒部材は、上記後壁部の外側面を構成する後壁外面部と、上記後壁外面部の左右両端にそれぞれつながる一対の上記側壁部と、左右両端に一対の上記側壁部がつながり、上記前壁部の外側面を構成する前壁外面部と、を備え、上記後壁外面部、一対の上記側壁部、および上記前壁外面部が互いの境界において折り曲げ可能であり、かつ偏平状に折り畳まれており、上記内筒部材は、上記後壁外面部の内側に重合されて上記後壁部の内側面を構成する後壁内面部と、上記後壁内面部の左右両端にそれぞれつながる一対の上記軸支持壁部と、左右両端に上記一対の上記軸支持壁部がつながり、上記前壁部の内側面を構成する前壁内面部と、上記前壁内面部および上記後壁内面部の上端につながり、上記蓋部の上側面および下側面を構成する蓋上面部および蓋下面部と、を備え、上記後壁内面部、一対の上記軸支持壁部、上記前壁内面部、上記蓋上面部、および上記蓋下面部が互いの境界において折り曲げ可能であり、かつ偏平状に折り畳まれていることを特徴としている。
【００１７】
本発明のその他の特徴および利点は、添付図面を参照して以下に行う詳細な説明によって、より明らかとなろう。
【図面の簡単な説明】
【００１８】
【図１】本発明に係るロールペーパーホルダの一例を示す斜視図である。
【図２】図１に示すロールペーパーホルダを背面側から見た斜視図である。
【図３】図１に示すロールペーパーホルダの正面図である。
【図４】図１に示すロールペーパーホルダの平面図である。
【図５】図１に示すロールペーパーホルダの蓋部を開いた状態を示す要部斜視図である。
【図６】図１に示すロールペーパーホルダの蓋部を開いた状態を示す平面図である。
【図７】図４のＶＩＩ−ＶＩＩ線に沿う断面図である。
【図８】図４のＶＩＩＩ−ＶＩＩＩ線に沿う断面図である。
【図９】外筒部材、内筒部材、および軸部の展開図である。
【図１０】図１に示すロールペーパーホルダの組立セットを示す図である。
【図１１】図１に示すロールペーパーホルダの組立手順の一状態を示す図である。
【図１２】図１に示すロールペーパーホルダの使用状態の一例を示す図である。
【図１３】図１に示すロールペーパーホルダの使用状態の一例を示す図である。
【図１４】図１に示すロールペーパーホルダの使用状態の一例を示す図である。
【発明を実施するための形態】
【００１９】
以下、本発明の好ましい実施の形態について、図面を参照して具体的に説明する。
【００２０】
図１〜図８は、本発明に係るロールペーパーホルダの一例を示している。本実施形態のロールペーパーホルダＡは、筒状体１と、軸部２と、蓋部３とを備え、たとえばトイレットペーパーなどのロールペーパー５を内部に収容し、かつ当該ペーパーの先端部を引き出すことが可能に構成されたものである。詳細は後述するが、本実施形態のロールペーパーホルダＡは、たとえば室内で飼われるペットの周辺の清掃等の用途に適したものである。なお、説明の便宜上、図１を基準として、前後、左右、および上下のそれぞれの方向を特定することにする。
【００２１】
筒状体１は、前後方向に離間する前壁部１１および後壁部１２と、左右方向に離間する一対の側壁部１３，１３と、を有する。前壁部１１および後壁部１２は相対向しており、一対の側壁部１３，１３は、その前後方向における両端部が前壁部１１および後壁部１２にそれぞれつながっている。一対の側壁部１３，１３の内側には、左右方向に離間し、かつ相対向する一対の軸支持壁部１４，１４が設けられている。本実施形態においては、一対の軸支持壁部１４，１４、前壁部１１および後壁部１２によって囲まれた内側の空間が、ロールペーパー５を収容するためのロールペーパー収容空間Ｓとして規定されている。
【００２２】
図５〜図８に表れているように、筒状体１は、より詳細には、外筒部材１Ａと、外筒部材１Ａの内側に設けられる内筒部材１Ｂとを備えている。外筒部材１Ａは、前壁部１１の外側面を構成する前壁外面部１１Ａと、後壁部１２の外側面を構成する後壁外面部１２Ａと、一対の側壁部１３，１３とにより構成されている。内筒部材１Ｂは、前壁部１１の内側面を構成する前壁内面部１１Ｂと、後壁部１２の内側面を構成する後壁内面部１２Ｂと、一対の軸支持壁部１４，１４とにより構成されている。詳細は後述するが、外筒部材１Ａおよび内筒部材１Ｂは、それぞれ、所定形状に裁断した厚紙を折り曲げて形成されたものである。
【００２３】
前壁外面部１１Ａおよび前壁内面部１１Ｂは、互いが重合して一体となっている。また、後壁外面部１２Ａおよび後壁内面部１２Ｂは、互いが重合して一体となっている。前壁内面部１１Ｂの下端には、左右方向に沿って延びる切断部１１１が設けられている。切断部１１１は、軸部２に支持されたロールペーパー５を切断するためのものであり、左右方向に延びる凹凸状の波形とされている。図３に表れているように、切断部１１１は、前壁外面部１１Ａの下端よりも下方に突出している。その一方、切断部１１１は、側壁部１３の下端よりも上位に位置している。
【００２４】
図２に表れているように、後壁外面部１２Ａには、各々が後方に突出させられた複数のフック片１２１が設けられている。これらフック片１２１は、後壁外面部１２Ａに所定形状の切込みを形成し、当該切込み部分を後方に起こすことにより構成される。複数のフック片１２１は、左右に離間して対をなして設けられている。本実施形態においては、このようなフック片として、上位に位置する一対のフック片１２１ａと下位に位置する一対のフック片１２１ｂとを含み、上位にあるフック１２１ａは、切込み部分が上側に起こされており、下位にあるフック片１２１ｂは、切込み部分が左右方向外側に起こされている。
これらフック片１２１（１２１ａ，１２１ｂ）の意義については後述する。
【００２５】
図６に表れているように、一対の軸支持壁部１４，１４は、その前後方向における両端部が前壁内面部１１Ｂおよび後壁内面部１２Ｂにそれぞれつながっている。一対の側壁部１３，１３は、その前後方向における両端部が前壁外面部１１Ａおよび後壁外面部１２Ａにそれぞれつながっている。本実施形態において、一対の側壁部１３，１３は、前後方向における中央が左右方向外側に張り出して湾曲する略半円形状とされている。
【００２６】
図５、図８に表れているように、各軸支持壁部１４には切欠き１４１が形成されている。切欠き１４１は、前後方向における中間から下方に向かって延びている。本実施形態において、切欠き１４１は、所定幅で下方に延びる中間部１４１ａと、中間部１４１ａの下端につながり、かつ当該中間部１４１ａの幅寸法よりも大径の円形部１４１ｂとを有する。
【００２７】
図５〜図８に表れているように、軸部２は、ロールペーパー５を回転可能に支持するものであり、左右の切欠き１４１の円形部１４１ｂに挿通された状態で両端部が一対の軸支持壁部１４，１４に支持されている。軸部２は、八角柱形状をなしており、当該八角柱の対辺どうしの距離は、切欠き１４１の中間部１４１ａの幅寸法よりも大であり、かつ円形部１４１ｂの直径よりも小である。軸部２は、たとえば所定形状に裁断した厚紙を折り曲げて形成されたものである。軸部２を一対の軸支持壁部１４，１４に支持させる際には、まず、軸部２を、ロールペーパー５の芯筒５１に内挿した状態で図８において仮想線で表すように偏平状に変形させて、切欠き１４１の中間部１４１ａを通過させる。そして、軸部２が円形部１４１ｂに到達したら、元の形状に復元させる。これにより、円形部１４１ｂに挿通されて自然状態にある軸部２は、中間部１４１ａを通過することはない。また、軸部２は、図６、図７に表れているように、長手方向の両端が左右一対の側壁部１３，１３付近まで延びる軸方向長さを有している。ここで、軸部２の両端が側壁部１３，１３に接触する場合と接触しない場合とがある。この理由は、後述のように側壁部１３，１３が厚紙を湾曲させて形成されたものであり、側壁部１３，１３の形態にばらつきが生じ得るためである。
【００２８】
図７、図８に表れているように、蓋部３は、ロールペーパー収容空間Ｓの上方開口を覆うものであり、蓋上面部３Ａおよび蓋下面部３Ｂによって構成されている。これら蓋上面部３Ａおよび蓋下面部３Ｂは上下に重なっており、図６、図８に表れているように、蓋上面部３Ａは前壁内面部１１Ｂの上端につながって蓋部３の上側面を構成し、蓋下面部３Ｂは後壁内面部１２Ｂの上端につながって蓋部３の下側面を構成している。詳細な図示説明は省略するが、蓋上面部３Ａ、蓋下面部３Ｂ、および、蓋下面部３Ｂにつながる後壁内面部１２Ｂには、切込みや当該切込みに挿入される折り曲げ片が適宜形成されており、蓋上面部３Ａおよび蓋下面部３Ｂの重合状態が保持されるようになっている。
【００２９】
本実施形態において、蓋部３には、取付け対象物に引っ掛けて筒状体１を吊り下げるための掛止手段４が設けられている。掛止手段４は、たとえば、２つのリング部材４１，４１と、これらリング部材４１，４１に通され、両端部にリング部材４１の抜け止めとしての結び目が形成された紐部材４２とを有する。図７に表れているように、紐部材４２は、蓋上面部３Ａに形成された貫通孔３１、および蓋下面部３Ｂに形成された切欠き３２に通されるとともに、一方のリング部材４１が蓋部３の内側に位置する。詳細は後述するが、このような構成により、他方のリング部材４１を適所に引っ掛けると、筒状体１を吊り下げることができる。なお、図３、図６、図８においては、掛止手段４を省略している。
【００３０】
本実施形態のロールペーパーホルダＡは、複数（本実施形態では４つ）の板状部１５を備えている。図７によく表れているように、板状部１５は、軸支持壁部１４と側壁部１３とで囲まれた空間において、軸支持壁部１４から側壁部１３に向かって延びている。本実施形態において、複数の板状部１５は、左右一対の軸支持壁部１４の上下それぞれから対向する側壁部１３に向かって延びている。上位にある２つの板状部１５ａ，１５ａは、蓋下面部３Ｂの左右両端にそれぞれつながっており、先端が斜め下方に方向付けられている。下位にある２つの板状部１５ｂ，１５ｂは、左右の軸支持壁部１４，１４の下端にそれぞれつながっており、先端が斜め上方に方向付けられている。これら板状部１５の意義については後述する。
【００３１】
次に、上記構成のロールペーパーホルダＡの組立手順について、図９〜図１１を参照して説明する。
【００３２】
図９は、外筒部材１Ａ、内筒部材１Ｂ、および軸部２の展開図である。外筒部材１Ａは、左から順に後壁外面部１２Ａ、側壁部１３、前壁外面部１１Ａ、側壁部１３、および後壁外面部１２Ａがつながっており、これらの境界には当該境界部分で折り曲げ可能とする折り目が形成されている。本実施形態では、後壁外面部１２Ａは、展開された状態において左右に二分されている。なお、図９において、折り目は一点鎖線で表しており、その説明を適宜省略する。
【００３３】
内筒部材１Ｂは、左から順に軸支持壁部１４、後壁内面部１２Ｂ、軸支持壁部１４、および前壁内面部１１Ｂが折り目を介してつながっている。左側の軸支持壁部１４の左端には、折り目を介して接続片１４２がつながっている。ここで、軸支持壁部１４の横方向の寸法は、外筒部材１Ａにおける側壁部１３の横方向の寸法よりも小である。接続片１４２の表面には粘着層１４２ｃが設けられている。当該粘着層１４２ｃには図示しない離型紙が貼着されており、組立時に当該離型紙を剥がして適所に接続される。後述する他の粘着層についても同様に離型紙が貼着されている。なお、図９において粘着層はハッチングで表す。
【００３４】
後壁内面部１２Ｂの表面の適所には、粘着層１２ｃが設けられている。後壁内面部１２Ｂの上端には蓋下面部３Ｂがつながっており、この蓋下面部３Ｂの左右両側に板状部１５ａがつながっている。
【００３５】
前壁内面部１１Ｂの表面の適所には、粘着層１１ｃが設けられている。前壁内面部１１Ｂの上端には蓋上面部３Ａがつながっている。蓋上面部３Ａの左右両側には、補強片３３がつながっている。これら補強片３３の裏面には粘着層３３ｃが設けられており、補強片３３が折り目で折り返されて蓋上面部３Ａに重ねられ、当該蓋上面部３Ａの左右両端部が補強される。また、各軸支持壁部１４の下端には板状部１５ｂがつながっている。
【００３６】
軸部２は、８つの矩形片２１を有し、左端にある矩形片２１には接続片２２がつながっている。接続片２２の表面には粘着層２２ｃが設けられている。接続片２２は、粘着層２２ｃによって右端にある矩形片２１の裏面に重合状態で接続される。これにより、軸部２は八角柱形状に形成される。
【００３７】
内筒部材１Ｂの接続片１４２は、右側の前壁内面部１１Ｂの裏面右端に接続され、これにより、内筒部材１Ｂは筒状に形成される。
【００３８】
そして、外筒部材１Ａについては、二分された後壁外面部１２Ａが隣接するように内筒部材１Ｂを囲み、後壁外面部１２Ａを後壁内面部１２Ｂに合わせ、当該後壁内面部１２Ｂの粘着層１２ｃによって、後壁内面部１２Ｂおよび後壁外面部１２Ａが重合されて後壁部１２が形成される。これにより、外筒部材１Ａは筒状に形成され、この外筒部材１Ａの内側に内筒部材１Ｂが設けられた状態となる。
【００３９】
図１０は、外筒部材１Ａの内側に内筒部材１Ｂが設けられた状態にあるロールペーパーホルダの組立セットＢを示している。この組立セットＢにおいて、外筒部材１Ａおよび内筒部材１Ｂは、いずれも偏平状に折り畳まれている。ここで、後壁部１２を構成する後壁外面部１２Ａおよび後壁内面部１２Ｂは重合して一体となっているが、前壁部１１を構成する前壁外面部１１Ａおよび前壁内面部１１Ｂは、分離した状態にある。
【００４０】
次に、図１１に示すように、前壁外面部１１Ａおよび前壁内面部１１Ｂを後壁部１２に対向するように起こす。そして、前壁外面部１１Ａを前壁内面部１１Ｂに合わせ、当該前壁内面部１１Ｂの粘着層１１ｃによって、前壁内面部１１Ｂおよび前壁外面部１１Ａが重合されて前壁部１１が形成される。このとき、前壁部１１の両側にある側壁部１３は、軸支持壁部１４よりも横方向の寸法が大であるため、半円形状に湾曲させられる。これにより、図７、図８に示されたロールペーパー収容空間Ｓが形成される。
【００４１】
次いで、蓋下面部３Ｂおよび蓋上面部３Ａを折り曲げてロールペーパー収容空間Ｓの上方開口を覆う。蓋下面部３Ｂの左右両側につながる板状部１５ａ、および左右の軸支持壁部１４の下端につながる板状部１５ｂについては、それぞれ図７に示されたように折り曲げる。このようにして、図１〜図４、図７、図８に示された筒状体１が形成される。また、蓋部３には、上記した掛止手段４が取り付けられる。
【００４２】
次に、ロールペーパーホルダＡの作用について説明する。
【００４３】
本実施形態のロールペーパーホルダＡは、図１２に示すように、たとえばペット用のケージＣに吊り下げて使用される。ここで、筒状体１をケージＣの外側に位置させ、リング部材４１をケージＣの横棒および縦棒に引っ掛ける。
【００４４】
本実施形態のロールペーパーホルダＡにおいて、図７、図８に表れているように、ロールペーパー５を内部に収容した状態にて当該ロールペーパー５の周囲を前壁部１１、後壁部１２、一対の側壁部１３，１３によって覆っており、これら前壁部１１、後壁部１２、一対の側壁部１３，１３は、ロールペーパー５の下端よりも下方に延びている。また、ロールペーパー収容空間Ｓの上方開口は蓋部１３によって塞がれている。したがって、使用時においては、ロールペーパーホルダＡ（筒状体１）の内部にあるロールペーパー５が実質的に見えることはなく、外観上の見栄えが良好である。
【００４５】
一方、図７、図８に表れているように、ロールペーパー収容空間Ｓの下方全体が開口している。このため、ロールペーパー５を引き出す際には、ロールペーパー収容空間Ｓにおいて垂れ下がるロールペーパー５の先端部５ａを、ロールペーパー収容空間Ｓの下方の十分な開口を通じて的確に掴むことができ、使い勝手がよい。
【００４６】
また、切断部１１１は、前壁部１１の下端において左右方向（軸部２の軸方向）に延びるように設けられている。このため、切断部１１１によって切断された後に垂れ下がるロールぺーパー５の先端部５ａは、外観上殆ど見えることはなく、見栄えがよい。
【００４７】
一対の軸支持壁部１４，１４は、一対の側壁部１３，１３の内側に設けられており、ロールペーパー収容空間Ｓは、一対の軸支持壁部１４，１４、前壁部１１および後壁部１２によって規定されている。そして、軸支持壁部１４と側壁部１３とで囲まれた空間に位置する板状部１５が設けられており、板状部１５は各軸支持壁部１４から各側壁部１３に向かって延びている。このような構成の板状部１５を具備することにより、外力が作用する際に、側壁部１３の形態が崩れるのを防止することができる。また、板状部１５は、軸支持壁部１４と側壁部１３とで囲まれた空間の上下開口を覆っている。このようなことから理解されるように、板状部１５は、筒状体１の補強の役割と筒状体１の外観体裁を整える役割を担う。
【００４８】
軸部２の両端部は、一対の軸支持壁部１４，１４の各切欠き１４１に挿通された状態で当該軸支持壁部１４に支持されている。このような構成により、軸部２は一対の軸支持壁部１４，１４によって安定的に支持される。また、軸部２は、軸支持壁部１４と側壁部１３とで囲まれた空間において左右一対の側壁部１３，１３付近まで延びているため、この軸部２も側壁部１３の形態安定に寄与しうる。
【００４９】
後壁部１２（後壁外面部１２Ａ）には左右に離間して対をなすフック片１２１（１２１ａ，１２１ｂ）が設けられている。このため、たとえば図１３に示すように、ロールペーパーホルダＡをペット用のケージＣに吊り下げて使用する場合、フック片１２１をケージＣの縦棒に引っ掛けることができる。一度に多量のロールペーパー５を使用する際には、当該ロールペーパー５を両手で勢いよく引き出す要請があるところ、上記フック片１２１を備えた構成によれば、ケージＣに対するロールペーパーホルダＡの揺れを防止することができ、使い勝手がよい。また、本実施形態では、異なる態様で対をなすフック片１２１ａ，１２１ｂが設けられているので、縦棒の間隔が異なる種々のケージＣに対しても上記した揺れ防止の機能を期待することができる。
【００５０】
本実施形態においては、筒状体１は外筒部材１Ａの内側に内筒部材１Ｂが設けられた構成とされている。このように二重の筒状部材からなる筒状体１は、強度面において有利である。平面形状を有する前壁部１１は、外側面を構成する前壁外面部１１Ａ（後壁外面部１２Ａ）と内側面を構成する前壁内面部１１Ｂ（後壁内面部１２Ｂ）とが重合されており、また、切断部１１１は前壁内面部１１Ａの下端に形成されて前壁外面部１１Ｂの下端から突出している。このような構成によれば、切断部１１１が設けられた前壁内面部１１Ａを前壁外面部１１Ａがバックアップしており、切断部１１１は厚紙等で構成しても傷みにくい。
【００５１】
本実施形態のロールペーパーホルダＡにおいては、外筒部材１Ａおよび内筒部材１Ｂを備えた筒状体１について、図１０を参照して上述したように、独自の構成を有する組立セットＢを採用することにより、偏平状に折り畳まれた状態から容易に組み立てることができる。また、このような偏平状の組立セットＢは、物流に際しても嵩張らず、取り扱いやすいものである。
【００５２】
ロールペーパーホルダＡは、筒状体１を吊り下げるための掛止部材４を備えることから、種々の取付け対象物に引っ掛けて使用することができる。図１４は、ロールペーパーホルダＡをドアノブＮに引っ掛ける場合の使用状態を示している。ここでは、紐部材４２をドアノブＮに巻き付けるとともにリング部材４１をドアノブＮに引っ掛けることにより、ロールペーパーホルダＡの吊り下げ状態が適切に維持される。
【００５３】
以上、本発明の具体的な実施形態を説明したが、本発明はこれに限定されるものではなく、発明の思想から逸脱しない範囲内で種々な変更が可能である。本発明に係るロールペーパーホルダおよびこれの組立セットの各部の具体的な形状や材質なども、上記実施形態に限定されるものではない。
【符号の説明】
【００５４】
Ａ        ロールペーパーホルダ
Ｂ        組立セット
Ｓ        ロールペーパー収容空間
１        筒状体
１Ａ      外筒部材
１Ｂ      内筒部材
１１      前壁部
１１Ａ    前壁外面部
１１Ｂ    前壁内面部
１１１    切断部
１２      後壁部
１２Ａ    後壁外面部
１２Ｂ    後壁内面部
１３      側面部
１４      軸支持壁部
１４１    切欠き
１４１ａ  中間部
１４１ｂ  円形部
１５，１５ａ，１５ｂ  板状部
２        軸部
３        蓋部
３Ａ      蓋上面部
３Ｂ      蓋下面部
４        掛止手段
４１      リング部材
４２      紐部材
５        ロールペーパー
【図１】
2014108154.tif 000003
【図２】
2014108154.tif 000004
【図３】
2014108154.tif 000005
【図４】
2014108154.tif 000006
【図５】
2014108154.tif 000007
【図６】
2014108154.tif 000008
【図７】
2014108154.tif 000009
【図８】
2014108154.tif 000010
【図９】
2014108154.tif 000011
【図１０】
2014108154.tif 000012
【図１１】
2014108154.tif 000013
【図１２】
2014108154.tif 000014
【図１３】
2014108154.tif 000015
【図１４】
2014108154.tif 000016